(57)【要約】【課題】比較的狭い空間であっても使用することができ、十分なマッサージ効果を得ることができるマッサージ器を提供する。【解決手段】椅子に装着し得るベース板２と人の背中の湾曲に沿う形状に形成されたプレート３とが互いに所定距離離隔しながら結合され、往復運動することにより人の背中をマッサージするマッサージ手段が、プレート３に設けられるとともに、結合されたベース板２とプレート３とを含む周囲が、緩衝材を内在したカバーにより被覆されてなる。【選択図】  図２
2004216109.tif 000002
【特許請求の範囲】
【請求項１】
椅子に装着し得るベース板と人の背中の湾曲に沿う形状に形成されたプレートとが互いに所定距離離隔しながら結合され、往復運動することにより人の背中をマッサージするマッサージ手段が、プレートに設けられるとともに、結合されたベース板とプレートとを含む周囲が、緩衝材を内在したカバーにより被覆されたことを特徴とするマッサージ器。
【請求項２】
前記カバーの一側面に、マッサージ手段動作中に生じる空気圧および熱を外部に排出する排出口が設けられたことを特徴とする請求項１記載のマッサージ器。
【請求項３】
前記マッサージ手段は、プレート上の人の脊椎に接しない部位に形成された設置孔に挿入され、電流の供給・遮断によって往復運動するプランジャを備えたソレノイドと、このソレノイドに設置され、プランジャを引っ張りながら常に一定位置で維持させるように設定されたスプリングと、プランジャが往復運動するようにソレノイドに電流を間欠的に供給する電源供給回路が構成された制御部と、から構成されていることを特徴とする請求項１または２記載のマッサージ器。
【請求項４】
本発明は、前記ソレノイドには、プレートの設置孔に挿入した際、プレートに密着する鍔部が形成され、この鍔部に形成されたネジ孔を介してソレノイドがプレートに固定されることを特徴とする請求項１、２または３記載のマッサージ器。
【発明の詳細な説明】
【技術分野】
【０００１】
本発明は、マッサージ器に関し、特に、椅子や車両のシートなどに設置して使用することが可能なクッション型のマッサージ器に関する。
【背景技術】
【０００２】
一般的に、治療用もしくは家庭用のマッサージ器は、手で持って肩、背中、腰、足などを揉みほぐしてマッサージするハンド型マッサージ器と、椅子などに設置され、人が座っている状態で体の全体をマッサージする椅子型マッサージ器とに大別される。
【０００３】
そして、椅子型マッサージ器は、偏心体が設置された振動モータを使用してマッサージする構造、またはローラーなどを内蔵してマッサージする構造となっているものが一般的である。
【０００４】
ローラーを使用するタイプの場合、通常、マッサージ器の内部にレールと、このレール上を移動するローラーを備え、ローラーを移動させるためのモータおよびリンク装置などを有している（例えば、特許文献１参照。）。
【特許文献１】特開２００３−１１６９５０号公報
【発明の開示】
【発明が解決しようとする課題】
【０００５】
しかしながら、上記したローラーを使用する椅子型マッサージ器の場合、所定の長さのリンク装置を搭載しなければならず、リンク装置を動作させるための大きな空間が必要になってしまう。そのため、大きなサイズの椅子でなければ使用することができず、小型の椅子等に対してマッサージ器を設置するのが困難になるといった問題があった。
【０００６】
本発明は、上記従来の問題点を解決すべく創案されたもので、比較的狭い空間であっても使用することができ、十分なマッサージ効果を得ることができるマッサージ器を提供することを目的とする。
【課題を解決するための手段】
【０００７】
上記の目的を達成するため、本発明に係るマッサージ器は、椅子に装着し得るベース板と人の背中の湾曲に沿う形状に形成されたプレートとが互いに所定距離離隔しながら結合され、往復運動することにより人の背中をマッサージするマッサージ手段が、プレートに設けられるとともに、結合されたベース板とプレートとを含む周囲が、緩衝材を内在したカバーにより被覆されたことを特徴とする。
【０００８】
この発明によれば、プレートが人の背中の湾曲に沿う形状に形成されているので、椅子にマッサージ器を装着した際、プレートと使用者の背中を密着させることができ、プレートに設けられたマッサージ手段によって、効果的にマッサージすることができる。
【０００９】
また、結合されたベース板とプレートとが緩衝材を内在したカバーで被覆されているので、マッサージ手段が直接使用者に接触することがなく、快適な使用感を得ることができるとともに、マッサージ手段動作中に発生する騒音を吸収して静かな状態を維持することができる。
【００１０】
本発明は、前記カバーの一側面に、マッサージ手段動作中に生じる空気圧および熱を外部に排出する排出口が設けられたことを特徴とする。
【００１１】
本発明によれば、マッサージ手段動作中に生じる空気圧および熱を排出口から外部に排出することができるので、快適な使用感を確保するとともに、マッサージ器の変形を防止することができる。
【００１２】
本発明は、前記マッサージ手段は、プレート上の人の脊椎に接しない部位に形成された設置孔に挿入され、電流の供給・遮断によって往復運動するプランジャを備えたソレノイドと、このソレノイドに設置され、プランジャを引っ張りながら常に一定位置で維持させるように設定されたスプリングと、プランジャが往復運動するようにソレノイドに電流を間欠的に供給する電源供給回路が構成された制御部と、から構成されていることを特徴とする。
【００１３】
本発明によれば、ソレノイドのプランジャが人の脊椎に接することがないので、脊椎を刺激することなく、好適なマッサージ効果を得ることができる。
【００１４】
また、電流がソレノイドに供給されないときは、ソレノイドのプランジャはスプリングの付勢力により一定位置に常に戻され、再び電流が供給されたときにプレートから突出する向きに変位する。したがって、プランジャは、電流の間欠的な供給により往復運動を繰り返すことができる。その結果、プランジャで使用者の背中を間欠的に打撃し、マッサージすることができる。
【００１５】
本発明は、前記ソレノイドには、プレートの設置孔に挿入した際、プレートに密着する鍔部が形成され、この鍔部に形成されたネジ孔を介してソレノイドがプレートに固定されることを特徴とする。
【００１６】
この発明によれば、ソレノイドをプレートに確実に固定することができる。
【発明の効果】
【００１７】
本発明によれば、比較的狭い空間であっても使用することができ、十分なマッサージ効果を得ることができる。
【発明を実施するための最良の形態】
【００１８】
以下、本発明の実施の形態について図を参照して説明する。
【実施例１】
【００１９】
図１乃至図４には、本発明のマッサージ器１の実施例が示されている。
【００２０】
このマッサージ器１は、互いに結合されるベース板２とプレート３と、往復運動することにより人の背中をマッサージするマッサージ手段と、結合されたベース板２とプレート３とを被覆するカバー４とから構成されている。
【００２１】
ベース板２は、図２に示すように、椅子に装着し得る程度の大きさに形成された樹脂製の板状体であって、四隅にボス２ａが形成されている。
【００２２】
プレート３は、図２に示すように、人の背中の湾曲に沿う形状に形成された樹脂製の板状体であって、ベース板２のボス２ａと対応するボス３ａが四隅に形成されている。  ベース板２とプレート３とは、各ボス２ａ，３ａをそれぞれ対向させて、ネジＡで螺合することにより、互いに所定距離離隔しながら結合されている。
【００２３】
また、プレート３には、４個の設置孔３ｂが形成されている。この設置孔３ｂは、後述するソレノイド６のプランジャ７を突出可能な大きさであって、マッサージ器１の使用時に、使用者の脊椎に接しない位置に形成されている。
【００２４】
カバー４は、結合されたベース板２とプレート３とを含む周囲を被覆し、内部に緩衝材４０が設けられている（図３（ａ）参照）。また、カバー４の一側面には、マッサージ手段動作中に生じる空気圧および熱を外部に排出する排出口５が設けられている（図１参照）。
【００２５】
マッサージ手段は、往復運動するプランジャ７を備えたソレノイド６と、ソレノイド６のプランジャ７が往復運動するように、ソレノイド６に電流を間欠供給する電源供給回路（図示せず）が構成された制御部９とから構成されている。
【００２６】
ソレノイド６は、図２および図４に示すように、固定部６１と、固定部６１の上部に形成された鍔部６２と、固定部６１および鍔部６２を貫通して往復運動するプランジャ７とから構成されている。
【００２７】
また、固定部６１の下面には、プランジャ７を引っ張りながら常に一定位置で維持させるように設定されたスプリング８が設けられている。このスプリング８の一端は固定部６１に固定されており、他端はプランジャ７に固定されている。
【００２８】
鍔部６２は、プレート３の設置孔３ｂよりも大径に形成されており、周縁部に３個所のネジ孔６２ａが設けられている。したがって、ソレノイド６は、プランジャ７がプレート３の設置孔３ｂから突出するように、設置孔３ｂに嵌め込まれ、ネジ孔６２ａを介してネジＢによりプレート３に固定されている。
【００２９】
制御部９の電源供給回路は、マッサージ器や間欠運動器具等に広く使用されているものであって、家庭用には、ＡＣ電圧で動作できる回路構成、車両用には、ＤＣ（例えば、１２Ｖまたは２４Ｖなど）電圧で動作できる回路構成が採用されている。
【００３０】
また、制御部９には、マッサージプログラムが入力されている。このマッサージプログラムは、例えば、４個のソレノイド６のプランジャ７による打撃強度を調節すると同時にソレノイド６を各別に、または一緒に突出させるように制御するプログラムであって、使用者が各プログラムを選択できるようになされている。また、制御部９は、一般的な回路を使用して電流出力を断続的にするように構成されており、プログラムはメモリに貯蔵され、ＣＰＵにより制御されてマッサージ手段を駆動するように構成されている。
【００３１】
次に、本実施例のマッサージ器１の組立て方法を説明する。
【００３２】
まず、作業者は、プレート３の設置孔３ｂにプランジャ７を挿入し、同時にソレノイド６の鍔部６２をプレート３にネジＢで固定する（図２、図３（ａ）参照）。
【００３３】
次いで、プレート３のボス３ａとベース板２のボス２ｂとを密着し、ベース板２とプレート３の各ボス２ａ，３ａにネジＡを螺合して、ベース板２とプレート３とを結合する（図２、図３（ｂ）参照）。
【００３４】
続いて、結合したベース板２とプレート３をカバー４に挿入する。この際、制御部９はカバー４の外部に引き出され、外部で操作できるようになされている（図１参照）。
【００３５】
次に、本実施例のマッサージ器１の使用方法を説明する。
【００３６】
まず、使用者は、椅子や車両のシートなどにマッサージ器１を設置して、背中を密着させる。
【００３７】
次に、制御部９を操作して電源をＯＮにして、マッサージ手段を動作させる。
ソレノイド６に電流が供給されると、固定部６１との反発によってプランジャ７が突出し、突出したプランジャの先端部分がカバー４を介して使用者の背中を押圧する。この際、カバー４の緩衝材によって、使用者が痛みを感じることが防止される。一方、ソレノイド６に供給される電流が遮断されると、プランジャ７はスプリング８によって引き戻され、プランジャ７による使用者の背中の押圧が解除される。そして再びソレノイド６に電流が供給されると、プランジャ７が突出する。ソレノイド６がかかる動作を繰り返すため、使用者の背中を打撃して、手で叩くのと同様にマッサージすることができる。
【００３８】
なお、使用者は、マッサージ手段を動作するにあたって、制御部９に入力されているプログラムを選択することができ、所望のマッサージ効果を得ることが可能になる。
【産業上の利用可能性】
【００３９】
椅子や車両のシートなどに設置して、手軽にマッサージすることができるマッサージ器に適用できる。
【図面の簡単な説明】
【００４０】
【図１】本発明に係るマッサージ器を示す斜視図である。
【図２】本発明に係るマッサージ器を示す分解斜視図である。
【図３】本発明に係るマッサージ器を示す断面図、および部分拡大断面図である。
【図４】ソレノイドの構造を示す斜視図である。
【符号の説明】
【００４１】
１      マッサージ器
２      ベース板
３      プレート
４      カバー
５      排出口
６      ソレノイド
７      プランジャ
８      スプリング
９      制御部
【図１】
2004216109.tif 000003
【図２】
2004216109.tif 000004
【図３】
2004216109.tif 000005
【図４】
2004216109.tif 000006